(57)【要約】【課題】トレイドアが変形したり外れたりしても捩りバネの脱落を確実に防止でき、トレイドアが外れた場合のトレイドア及び捩りバネの修復組込作業や、製造時の組込作業も容易に行えるディスク装置を提供する。【解決手段】トレイドア２の裏面に左右一対のアーム２ａを突設してその先端に支軸２ｂを突設し、トレイドアを常時閉方向に付勢する捩りバネ３を一方の支軸２ｂに外嵌着して、この捩りバネ３の一端３ａをアーム２ａに固着した構成のディスク装置とする。特にアーム２ａにスリット２ｃを形成して捩りバネ３の一端３ａを通し、スリット形成部分の合成樹脂を熱溶融して固着（溶着）することが好ましい。捩りバネ３の一端３ａがアーム２ａに固着されているので、その脱落が確実に防止され、トレイドア２や捩りバネ３の修復組込作業等も容易になる。【選択図】図３
2007250140.tif 000002
【特許請求の範囲】
【請求項１】
ディスクトレイを有するプレーヤ本体を内蔵した筐体のフロントパネルにトレイ挿通口を開設する一方、トレイドアの裏面に左右一対のアームを突設してその先端に支軸を突設し、フロントパネルの裏面に形成した左右一対のブラケットの軸受孔にアーム先端の支軸を回転自在に挿通して、トレイ挿通口にトレイドアを開閉自在に取付けると共に、いずれか一方の支軸に捩りバネを外嵌着し、この捩りバネの一端をアームに、他端をフロントパネルの裏面にそれぞれ係止させて、トレイドアを常時閉方向に付勢したディスク装置において、
上記トレイドアと上記アームを熱可塑性合成樹脂で一体に形成し、このアームにスリットを形成して、このスリットに上記捩りバネの一端を通し、このスリットを形成した部分の合成樹脂を熱溶融させて、捩りバネの一端をスリットに埋め込んだ状態で溶着したことを特徴とするディスク装置。
【請求項２】
ディスクトレイを有するプレーヤ本体を内蔵した筐体のフロントパネルにトレイ挿通口を開設する一方、トレイドアの裏面に左右一対のアームを突設してその先端に支軸を突設し、フロントパネルの裏面に形成した左右一対のブラケットの軸受孔にアーム先端の支軸を回転自在に挿通して、トレイ挿通口にトレイドアを開閉自在に取付けると共に、いずれか一方の支軸に捩りバネを外嵌着し、この捩りバネの一端をアームに、他端をフロントパネルの裏面にそれぞれ係止させて、トレイドアを常時閉方向に付勢したディスク装置において、
上記捩りバネの一端を上記アームに固着したことを特徴とするディスク装置。
【請求項３】
上記トレイドアと上記アームを熱可塑性合成樹脂で一体に形成し、このアームの捩りバネを固着すべき箇所の合成樹脂を熱溶融させて捩りバネの一端をアームに固着したことを特徴する請求項２に記載のディスク装置。
【発明の詳細な説明】
【技術分野】
【０００１】
本発明は、ＤＶＤなどのディスク装置に関し、特に、トレイドアを常時閉方向に付勢する捩りバネが脱落しないように改良したディスク装置に関する。
【背景技術】
【０００２】
従来の一般的なディスク装置は、ディスクトレイを有するプレーヤ本体を内蔵した筐体のフロントパネルにトレイ挿通口を開設すると共に、このトレイ挿通口にトレイドアを開閉自在に取付け、捩りバネなどでトレイドアを常時閉方向に付勢している。
【０００３】
しかしながら、捩りバネは、その一端を例えばトレイドアのアームに係止し、他端を例えばフロントパネルの内面に係止するといった簡単な方法で取付られているため、トレイドアが外力を受けて変形したりトレイ挿通口から外れたりすると、捩りバネがプレーヤ本体の内部や底部の基板の上に脱落して、トラブルが発生するという問題があった。
【０００４】
かかる問題に対処するものとして、ドアの上縁部に切欠部を設けて左右一対の係止軸を突設し、この係止軸に捩りバネを外嵌して、捩りバネの一端をドアの係止溝に、他端をフロントパネルの内面に係止させた磁気記録再生装置が知られている（特許文献１）。
【０００５】
また、捩りバネの脱落防止手段として、フロントパネルの裏面にロックピンを突設し、捩りバネの一端を曲げ加工して形成したリング部をロックピンに外嵌して、ロックピンの先端を加熱工具で熱変形させることにより、捩りバネが脱落しないようにしたディスク装置も知られている（特許文献２）。
【０００６】
更に、ドアが外れてもバネが装置内部に入らないように開口下側に遮蔽板を設けたディスク装置（特許文献３）や、ドアの回転軸とは別のバネ保持部にバネを装着してバネ保持部の先端に脱落防止用の突起を設けたディスク再生装置（特許文献４）も知られている。
【特許文献１】特開２００４−５５０２４号公報
【特許文献２】特開２００６−４５４９号公報
【特許文献３】特開２００５−１９０５５１号公報
【特許文献４】実用新案登録第３１０６７５６号公報
【発明の開示】
【発明が解決しようとする課題】
【０００７】
しかしながら、特許文献１の磁気記録再生装置は、捩りバネを嵌める係止軸を太く形成できないため係止軸が折損しやすく、係止軸が折損すると捩りバネが装置内部に脱落するという問題が依然として残されていた。
【０００８】
また、特許文献２のディスク装置は、先端を熱変形させたロックピンによって捩りバネの脱落を確実に防止できるが、トレイドアが外れた場合、捩りバネがフロントパネル裏面のロックピンにぶら下がった状態であるため、捩りバネを元の姿勢に戻してトレイドアを再び組み込む作業がし辛いという問題があった。
【０００９】
そして、引用文献３のディスク装置は、開口下側に脱落防止用の遮蔽板を設けているとは言うものの、脱落したバネが遮蔽板上で弾んで装置内に落下する可能性が高いという問題があり、また、特許文献４のディスク再生装置も、バネ保持部の先端の突起でバネを引掛けて脱落しにくいようにしているだけであるから、ドアが外れるときの衝撃などで脱落する可能性が高いという問題があった。
【００１０】
本発明は上記の事情の下になされたもので、トレイドアが変形したり外れたりした場合でも捩りバネの脱落を確実に防止でき、トレイドアが外れた場合のトレイドア及び捩りバネの修復組込作業や、製造時の組込作業も容易に行えるディスク装置を提供することを解決課題としている。
【課題を解決するための手段】
【００１１】
上記課題を解決するため、本発明のディスク装置は、ディスクトレイを有するプレーヤ本体を内蔵した筐体のフロントパネルにトレイ挿通口を開設する一方、トレイドアの裏面に左右一対のアームを突設してその先端に支軸を突設し、フロントパネルの裏面に形成した左右一対のブラケットの軸受孔にアーム先端の支軸を回転自在に挿通して、トレイ挿通口にトレイドアを開閉自在に取付けると共に、いずれか一方の支軸に捩りバネを外嵌着し、この捩りバネの一端をアームに、他端をフロントパネルの裏面にそれぞれ係止させて、トレイドアを常時閉方向に付勢したディスク装置において、上記捩りバネの一端を上記アームに固着したことを特徴とするものである。
【００１２】
本発明のディスク装置においては、トレイドアとアームを熱可塑性合成樹脂で一体に形成し、このアームの捩りバネを固着すべき箇所の合成樹脂を熱溶融させて捩りバネの一端をアームに固着することが好ましい。
【００１３】
そして、本発明の一層具体化された好ましいディスク装置は、ディスクトレイを有するプレーヤ本体を内蔵した筐体のフロントパネルにトレイ挿通口を開設し、トレイドアの裏面に左右一対のアームを突設してその先端に支軸を突設し、フロントパネルの裏面に形成した左右一対のブラケットの軸受孔にアーム先端の支軸を回転自在に挿通して、トレイ挿通口にトレイドアを開閉自在に取付けると共に、いずれか一方の支軸に捩りバネを外嵌着し、この捩りバネの一端をアームに、他端をフロントパネルの裏面にそれぞれ係止させて、トレイドアを常時閉方向に付勢したディスク装置において、上記トレイドアと上記アームを熱可塑性合成樹脂で一体に形成し、このアームにスリットを形成して、このスリットに上記捩りバネの一端を通し、このスリットを形成した部分の合成樹脂を熱溶融させて、捩りバネの一端をスリットに埋め込んだ状態で溶着したことを特徴とするものである。
【発明の効果】
【００１４】
本発明のディスク装置は、捩りバネの一端をトレイドアのアームに固着しているので、トレイドアが外力を受けて変形したりトレイ挿通口から外れたりした場合でも、捩りバネがトレイドアのアームから離脱して単独でプレーヤ本体の内部や底部の基板の上に落下する心配は皆無であり、捩りバネの落下に伴うトラブルの発生を確実に防止することができる。そして、トレイドアが外れた場合でも、捩りバネは支軸に外嵌着された状態のまま、その一端がアームに固着されているので、トレイドアを閉方向に付勢するように捩りバネを元の姿勢に戻して捩りバネの他端をフロントパネルの内面に係止させながら、左右のアームの支軸を左右のブラケットの軸受孔に挿通することにより、簡単にトレイドア及び捩りバネの修復組込作業を行うことができる。また、支軸に外嵌着された捩りバネの一端がアームに固着されていると、製造時におけるトレイドア及び捩りバネの組込作業も容易になる。
【００１５】
特に、トレイドアとアームが熱可塑性樹脂で一体に成形され、このアームの捩りバネを固着すべき箇所の合成樹脂を熱溶融させることによって捩りバネの一端をアームに固着したものは、熱ゴテなどの簡易な道具を用いて、簡単かつ確実に捩りバネの固着を行える利点がある。そして、更に好ましいディスク装置のように、アームにスリットを形成して捩りバネの一端を通し、このスリットを形成した部分の合成樹脂を熱溶融させて、捩りバネの一端をスリットに埋め込んだ状態で溶着したものは、上記の利点に加えて、スリットにより捩りバネの姿勢（捩りバネの一端の角度）を常に一定となるように規制して固着できるので、トレイドアに対する付勢力のバラツキが生じないという利点もある。
【発明を実施するための最良の形態】
【００１６】
以下、図面を参照して本発明の具体的な実施形態を詳述する。
【００１７】
図１は本発明の一実施形態に係るディスク装置の概略部分正面図、図２は同ディスク装置の分解部分斜視図、図３及び図４は同ディスク装置の概略部分断面図であって、図３はトレイドアが閉じた状態を、図４はトレイドアが開いた状態をそれぞれ示す。
【００１８】
このディスク装置は、合成樹脂製の筐体１の内部にプレーヤ本体（不図示）を内蔵したもので、この筐体１のフロントパネル１ａには、プレーヤ本体のディスクトレイを挿入・排出するための長方形のトレイ挿通口１ｂが開設されている。そして、このトレイ挿通口１ｂには、長方形のトレイドア２が開閉自在に取付けられている。
【００１９】
このトレイドア２は、図２、図３、図４に示すように、その裏面に左右一対の略コ字状のアーム２ａ，２ａが突設されたものであって、このアーム２ａ，２ａの先端には支軸２ｂ，２ｂが左右外側に向かってそれぞれ突設されている。このトレイドア２、アーム２ａ，２ａ、支軸２ｂ，２ｂは、熱可塑性合成樹脂によって一体に射出成形されており、捩りバネ３が外嵌着される一方の支軸２ｂは他方の支軸２ｂより長軸に形成されている。そして、この長い方の支軸２ｂを突設した一方のアーム２ａの後縁部には、捩りバネ３の一端３ａを通すスリット２ｃが形成されている。
【００２０】
図２、図３に示すように、捩りバネ３は長い方の支軸２ｂに外嵌着されて、その直線状に伸びた一端３ａが上記のスリット２ｃに通されており、このスリット２ｃが形成された部分の合成樹脂を熱ゴテなどの簡易な道具で熱溶融させることによって、捩りバネ３の一端３ａがスリット２ｃに埋め込まれた状態で固着（溶着）されている。そのため、捩りバネ３の一端３ａがアーム２ａから離脱してトレイドア２の支軸２ｂから捩りバネ３が抜け落ちる心配は皆無であり、また、スリット２ｃによって捩りバネ３の姿勢、特に捩りバネ３の一端３ａの角度を常に一定となるように規制できるので、トレイドア２に対する付勢力のバラツキも生じない。
【００２１】
トレイドア２は、その左右の支軸２ｂ，２ｂを、フロントパネル１ａの裏面に形成された左右一対のブラケット１ｃ，１ｃの軸受孔１ｄ，１ｄ（図２参照）に回動自在に挿通することによって、トレイ挿通口１ｂに開閉自在に取付られている。そして、図３に示すように、捩りバネ３の直角に屈曲した他端３ｂが半捩りされた状態でフロントパネル１ａの裏面に係止され、これによって常時閉方向の付勢力がトレイドア２に付与されている。従って、図４に示すようにディスクトレイ４がトレイ挿通口１ｂから排出されるときには、トレイドア２のアーム２ａ，２ａがディスクトレイ４により背後から押されて捩りバネ３の付勢力に抗してトレイドア２が前開きし、ディスクトレイ４が挿入されると、捩りバネ３の付勢力によってトレイドア２が図３に示すように閉じて、トレイ挿通口１ｂが閉鎖されるようになっている。
【００２２】
上記構成のディスク装置は、捩りバネ３の一端３ａをトレイドア２のアーム２ａのスリット２ｃに通してスリット形成部分の合成樹脂を熱溶融させることにより、捩りバネ３の一端３ａをアーム２ａに強固に固着（溶着）しているので、トレイドア２が外力を受けて変形したりトレイ挿通口１ｂから外れたりした場合でも、捩りバネ３がトレイドア２のアーム２ａから離脱して単独でプレーヤ本体の内部や底部の基板の上に落下する心配は皆無であり、捩りバネ３の落下に伴うトラブルの発生を確実に防止することができる。
【００２３】
そして、トレイドア２が外れた場合でも、捩りバネ３は支軸２ｂに外嵌着された状態のまま一端３ａがアーム２ａに固着されているので、トレイドア２を閉方向に付勢するように捩りバネ３の他端３ｂを半捩りしてフロントパネル１ａの内面に係止させながら、左右のアーム２ａ，２ａの支軸２ｂ，２ｂを左右のブラケット１ｃ，１ｃの軸受孔１ｄ，１ｄに挿通することによって、簡単にトレイドア２及び捩りバネ３の修復組込作業を行うことができ、同様に、製造時におけるトレイドア２及び捩りバネ３の組込作業も容易に行うことができる。また、捩りバネ３の一端３ａを通したスリット２ｃの合成樹脂を熱溶融させて固着する作業は簡単であるから製造面で有利であり、しかも、このスリット２ｃによって捩りバネ３の姿勢が常に一定となるように規制されるので、トレイドア２に対する付勢力にバラツキが生じるのを防止することもできる。
【図面の簡単な説明】
【００２４】
【図１】本発明の一実施形態に係るディスク装置の概略部分正面図である。
【図２】同ディスク装置の分解部分斜視図である。
【図３】同ディスク装置の概略部分断面図であって、トレイドアが閉じた状態を示す。
【図４】同ディスク装置の概略部分断面図であって、トレイドアが開いた状態を示す。
【符号の説明】
【００２５】
１    筐体
１ａ  筐体のフロントパネル
１ｂ  トレイ挿通口
１ｃ  ブラケット
１ｄ  軸受孔
２    トレイドア
２ａ  アーム
２ｂ  支軸
２ｃ  スリット
３    捩りバネ
３ａ  捩りバネの一端
３ｂ  捩りバネの他端
４    ディスクトレイ
【図１】
2007250140.tif 000003
【図２】
2007250140.tif 000004
【図３】
2007250140.tif 000005
【図４】
2007250140.tif 000006